(57)【要約】【課題】より効率よく重送を防止することが可能な紙葉類供給装置の提供を目的とする。【解決手段】紙葉類供給装置１は、給紙部２と、給紙部２の下方に設けられ、複数の紙葉類を載置する給紙台６と、給紙台６上の最上位の紙葉類が給紙部に達する位置まで給紙台３を上昇させる移送手段６と、給紙部２の下方に設けられ、給紙台３上の紙葉類１０の前端縁を当接させる突き当てガイド５と、給紙部２による紙葉類１０の搬送面より下方であって、少なくとも給紙台３上の紙葉類１０の載置幅範囲内に、複数の紙葉類１０の前端縁を予備的に捌くための予備捌き部４とを備え、前記予備捌き部４は、突き当てガイド５における給紙台３の上昇経路に配設され、給紙台３が上昇する際給紙台３上の紙葉類１０の前端縁が干渉する干渉部材８を備えている。【選択図】図１
2010265104.tif 000002
【特許請求の範囲】
【請求項１】
紙葉類を給紙する給紙手段と捌き部材とを備えた給紙部と、
給紙部の下方に設けられ、複数の紙葉類を載置する給紙台と、
給紙台上の最上位の紙葉類が給紙部に達する位置まで給紙台を上昇させる移送手段と、
給紙部の下方に設けられ、給紙台上の紙葉類の前端縁を当接させる突き当てガイドと、
給紙部による紙葉類の搬送面より下方であって、少なくとも給紙台上の紙葉類の載置幅範囲内に、複数の紙葉類の前端縁を予備的に捌くための予備捌き部とを備え、
前記予備捌き部は、突き当てガイドにおける給紙台の上昇経路に配設され、給紙台が上昇する際給紙台上の紙葉類の前端縁が干渉する干渉部材を備えてなる紙葉類供給装置。
【請求項２】
予備捌き部が、給紙部における給紙手段の設置幅範囲内に設けられている請求項１に記載の紙葉類供給装置。
【請求項３】
予備捌き部が可撓性材料により構成されている請求項１または請求項２に記載の紙葉類供給装置。
【請求項４】
予備捌き部が基部に設けられた複数の鉤状突起部を備えている請求項1乃至請求項３のいずれか一項に記載の紙葉類供給装置。
【請求項５】
鉤状突起部が略下方に向けて湾曲した下方向湾曲突起部と、略上方に向けて湾曲した上方向湾曲突起部とを備えている請求項４に記載の紙葉類供給装置。
【請求項６】
予備捌き部が基部に設けられた少なくとも鉤状、玉状又は鏃状のいずれか１つの突起部を備えてなる面ファスナーにより構成されている請求項１乃至請求項５のいずれか一項に記載の紙葉類供給装置。
【請求項７】
突き当てガイドの所定箇所に、前記突き当てガイドの紙葉類の当接面より所定深さ陥没した陥没部を設け、
前記陥没部の内部に予備捌き部を構成する基部の少なくとも下端縁が収容されている請求項1乃至請求項６に記載の紙葉類供給装置。
【請求項８】
給紙手段が複数の給紙ローラを備えており、
捌き部材は前記複数の給紙ローラのうち少なくとも1つの給紙ローラに摺接するよう設置され、
更に、複数の給紙ローラの間に紙葉類を補助的に捌く補助捌き部材を配設した請求項1乃至請求項7のいずれか一項に記載の紙葉類供給装置。
【発明の詳細な説明】
【技術分野】
【０００１】
本発明は、紙葉類供給装置に関するものである。
【背景技術】
【０００２】
従来、孔版印刷機等において給紙台上に載置された複数の紙葉類を最上位の紙葉類から１枚ずつ印刷処理部へ供給する紙葉類供給装置として、下記特許文献１には紙葉類に摺接する補助摺接面を有する補助捌き部材を固定部材で支持して給紙ローラ間に配設する技術が開示され、これにより紙葉類の重送を防ぐとともに、厚紙や葉書等の厚手の紙葉類を印刷する際にも紙面を傷めることなく給紙できるとされている。
【先行技術文献】
【特許文献】
【０００３】
【特許文献１】特開２００５−１４５５９５号公報
【発明の概要】
【発明が解決しようとする課題】
【０００４】
しかしながら、上記特許文献１に記載の紙葉類供給装置では、複数の給紙ローラの間に補助捌き部材が配設されているため補助捌き部材の作用する紙葉類の箇所と給紙ローラによる搬送の作用する箇所とが略隣り合わせに存在することとなり、紙葉類を分離する際紙葉類にかかる力を分散することが可能となるが、効率よく重送を防止することができない。
【０００５】
また、一般に紙葉類は、製紙工場において所定の大きさに裁断される際、裁断面に若干の裁断バリを生じることがあるが、この裁断バリによって紙葉類の端部は裁断刃の通過した方向に若干撓んだものとなる。この結果、上下に積層された複数の紙葉類をより密着させ、最上位にある紙葉類を１枚ずつ分離して搬送することが困難となりやすく、重送の問題が生じやすくなる。かかる裁断バリを有する紙葉類については、上記特許文献１に記載の紙葉類供給装置を用いた場合にも同様に効率よく１枚ずつ搬送することが困難となっている。
【０００６】
本発明は、上記した従来の問題点に鑑みてなされたものであって、より効率よく重送を防止することが可能な紙葉類供給装置の提供を目的とする。
【課題を解決するための手段】
【０００７】
上記目的を達成するために、請求項１に記載の紙葉類供給装置は、紙葉類を給紙する給紙手段と捌き部材とを備えた給紙部と、給紙部の下方に設けられ、複数の紙葉類を載置する給紙台と、給紙台上の最上位の紙葉類が給紙部に達する位置まで給紙台を上昇させる移送手段と、給紙部の下方に設けられ、給紙台上の紙葉類の前端縁を当接させる突き当てガイドと、給紙部による紙葉類の搬送面より下方であって、少なくとも給紙台上の紙葉類の載置幅範囲内に、複数の紙葉類の前端縁を予備的に捌くための予備捌き部とを備え、前記予備捌き部は、突き当てガイドにおける給紙台の上昇経路に配設され、給紙台が上昇する際給紙台上の紙葉類の前端縁が干渉する干渉部材を備えている。
【０００８】
また、請求項２に記載の紙葉類供給装置は、前記構成において、予備捌き部が、給紙部における給紙手段の設置幅範囲内に設けられているものである。
【０００９】
そして、請求項３に記載の紙葉類供給装置は、前記各構成において、予備捌き部が可撓性材料により構成されているものである。
【００１０】
更に、請求項４に記載の紙葉類供給装置は、前記各構成において、予備捌き部が基部に設けられた複数の鉤状突起部を備えているものである。
【００１１】
更に、請求項５に記載の紙葉類供給装置は、前記構成において、鉤状突起部が略下方に向けて湾曲した下方向湾曲突起部と、略上方に向けて湾曲した上方向湾曲突起部とを備えているものである。
【００１２】
更に、請求項６に記載の紙葉類供給装置は、前記各構成において、予備捌き部が基部に設けられた少なくとも鉤状、玉状又は鏃状のいずれか１つの突起部を備えてなる面ファスナーにより構成されているものである。
【００１３】
更に、請求項７に記載の紙葉類供給装置は、前記各構成において、突き当てガイドの所定箇所に、前記突き当てガイドの紙葉類の当接面より所定深さ陥没した陥没部を設け、前記陥没部の内部に予備捌き部を構成する基部の少なくとも下端縁が収容されているものである。
【００１４】
更に、請求項８に記載の紙葉類供給装置は、前記各構成において、給紙手段が複数の給紙ローラを備えており、捌き部材は前記複数の給紙ローラのうち少なくとも1つの給紙ローラに摺接するよう設置され、更に、複数の給紙ローラの間に紙葉類を補助的に捌く補助捌き部材を配設したものである。
【発明の効果】
【００１５】
請求項１に記載の紙葉類供給装置によれば、給紙部と、給紙台と、給紙台を上昇させる移送手段と、紙葉類の前端縁を当接させる突き当てガイドとを備え、更に給紙部による紙葉類の搬送面より下方であって、少なくとも給紙台上の紙葉類の載置幅範囲内に、複数の紙葉類の前端縁を予備的に捌くための予備捌き部を備えてなり、前記予備捌き部は、突き当てガイドにおける給紙台の上昇経路に配設され、給紙台が上昇する際給紙台上の紙葉類の前端縁が干渉する干渉部材を備えたので、給紙台上の紙葉類を移送手段の作用によって上昇する際に、予備捌き部が少なくとも給紙台上の紙葉類の載置幅範囲内となる紙葉類の前端縁を予め上下方向に１枚ずつ分離し、空気を含ませて捌くことができ、効率よく紙葉類の重送を防止することができる。
【００１６】
また、請求項２に記載の紙葉類供給装置によれば、予備捌き部が、給紙部における給紙手段の設置幅範囲内に設けられているので、予備捌き部が紙葉類を分離する箇所と給紙手段による搬送の作用する箇所とが同じ範囲内となるために、より効率よく１枚ずつ紙葉類を供給することができ、紙葉類の他の箇所は密着した状態である場合にも、給紙手段に接触する紙葉類の前端縁の所定箇所が予備捌き部によって予め空気を含んだ状態であるために、紙葉類を１枚ずつ搬送できるようになる。
【００１７】
また、請求項３に記載の紙葉類供給装置によれば、予備捌き部が可撓性材料により構成されているので、予備捌き部が柔軟に変形し、効率よく紙葉類を捌くことができる。
【００１８】
そして、請求項４に記載の紙葉類供給装置によれば、予備捌き部が基部に設けられた複数の鉤状突起部を備えているので、鉤状突起部が紙葉類の前端縁を引き掻き、上下に密着し積層された紙葉類を鉤の先端によって容易に分離し上下の紙葉類の間に空気を含ませて捌くことができる。
【００１９】
更に、請求項５に記載の紙葉類供給装置によれば、鉤状突起部が下方に向けて湾曲した下方向湾曲突起部と、上方に向けて湾曲した上方向湾曲突起部とを備えているので、紙葉類の前端縁が、給紙台と平行な面より上方に向かって撓んだ裁断バリを有する紙葉類が給紙台上に載置された場合、及び逆に給紙台と平行な面より下方に向かって撓んだ裁断バリを有する紙葉類のいずれの場合であっても効率よく紙葉類を上下方向に分離することができる。
【００２０】
更に、請求項６に記載の紙葉類供給装置によれば、予備捌き部が基部に設けられた少なくとも鉤状、玉状又は鏃状のいずれか１つの突起部を備えてなる面ファスナーにより構成されているので、安価な市販品を所定長さや所定形状に裁断し、接着剤等により容易に設置面に設置可能であるので、製造コストを低減可能であるとともに、製造時間及び製造の際の手間を少なくすることができる。
【００２１】
更に、請求項７に記載の紙葉類供給装置によれば、突き当てガイドの所定箇所に、前記突き当てガイドの紙葉類の当接面より所定深さ陥没した陥没部を設け、前記陥没部の内部に予備捌き部を構成する基部の少なくとも下端縁が収容されているので、移送手段により給紙台が上昇され、予備捌き部の下部に紙葉類が下方から接触する際に、陥没部の内部にある予備捌き部の下端縁に紙葉類が直接触れることなく、徐々に予備捌き部に接触し、予備捌き部が剥離したり、逆に紙葉類が破損したり皺を形成したりするのを防止することができる。
【００２２】
更に、請求項８に記載の紙葉類供給装置によれば、給紙手段が複数の給紙ローラを備えており、捌き部材は前記複数の給紙ローラのうち少なくとも1つの給紙ローラに摺接するよう設置され、更に、複数の給紙ローラの間に紙葉類を補助的に捌く補助捌き部材を配設したので、給紙台が上昇する際予備捌き部により紙葉類の前端縁を上下方向に分離するとともに、紙葉類が給紙部に至った後は紙葉類の搬送面において紙葉類が給紙ローラと捌き部材との間を通過するに際して、給紙ローラ間において補助捌き部が紙葉類に湾曲した部位を形成して紙葉類どうしの離間を促して重送を更に効率よく防止できる。
【図面の簡単な説明】
【００２３】
【図１】本発明の一実施形態に係る紙葉類供給装置の要部を示す斜視図である。
【図２】前記紙葉類供給装置の正面図である。
【図３】図２におけるＡ−Ａ矢視断面図である。
【図４】前記紙葉類供給装置の予備捌き部の斜視図である。
【図５】本発明の他の実施形態に係る紙葉類供給装置の正面図である。
【図６】前記紙葉類供給装置の使用態様図である。
【図７】前記紙葉類供給装置の使用態様図である。
【図８】前記紙葉類供給装置の使用態様図である。
【図９】本発明の更に他の実施形態に係る紙葉類供給装置の使用態様図である。
【図１０】従来の紙葉類供給装置の使用態様図である。
【発明を実施するための形態】
【００２４】
本発明の実施形態を図面に基づいて説明する。ここに、図１は本発明の一実施形態に係る紙葉類供給装置の要部を示す斜視図、図２は前記紙葉類供給装置の正面図、図３は図２におけるＡ−Ａ矢視断面図、図４は前記紙葉類供給装置の予備捌き部の斜視図である。各図において、この実施形態に係る紙葉類供給装置１は、孔版印刷機等における紙葉類供給部であって、給紙台３上に積み重ねられた紙葉類１０を上から１枚ずつ分離して搬送するものである。紙葉類供給装置１は、給紙部２と、給紙台３と、移送手段６と、突き当てガイド５と、予備捌き部４とを備えている。
【００２５】
給紙部２は、給紙手段２３を構成する回転軸２１に固定され並設された３つの給紙ローラ２２と、中央の給紙ローラ２２ａの下方に設けられ、図３に示すように、給紙ローラ２２ａの外周面に摺接する捌き部材２４と、捌き部材２４を支持し、捌き部材２４の給紙ローラ２２ａの外周面への接触圧力を調整する接触圧力調整機構２５と、各給紙ローラ２２の間に配設された紙葉類１０を補助的に捌くための補助捌き部材２６とを備えている。
【００２６】
給紙台３は、給紙部２の下方に設けられ、複数の紙葉類１０が載置される。図３に示すように、給紙台３は紙葉類１０の後端縁より前端縁の方（図３において右方）が低くなるよう水平方向より若干傾斜して設けられている。
【００２７】
図１に示すように、移送手段６は、給紙台３上の最上位の紙葉類１０ａが給紙部２に達し給紙ローラ２２に当接する位置まで給紙台３を上昇するとともに、給紙部２によって１枚ずつ給紙台３上の紙葉類１０を搬送する際、常に最上位の紙葉類１０ａが給紙ローラ２２に当接するよう徐々に給紙台３を上昇させるものである。更に、給紙部２による紙葉類１０の供給を終了し給紙台３上に紙葉類１０が載置されなくなった状態では所定の待機位置まで給紙台３を下降するものである。
【００２８】
突き当てガイド５は、給紙部２の下方に設けられ、給紙台３に対し略直交する向きに形成された板状部材により構成されている。そして、該突き当てガイド５には上述した給紙台３の傾斜によって容易に給紙台３上の複数の紙葉類１０の前端縁が当接するようになっている。
【００２９】
突き当てガイド５の高さ方向及び幅方向中央部には、突き当てガイド５の紙葉類１０の当接面より所定深さ陥没した正面視略矩形状の陥没部５２を設けている。陥没部５２には、捌き部材２４の給紙ローラ２２ａへの接触圧力を調整する接触圧力調整ダイヤル５３を設けており、接触圧力調整ダイヤル５３は接触圧力調整機構２５に連動しており、該接触圧力調整ダイヤル５３を時計回りまたは反時計回りに回動することで接触圧力調整機構２５に作用し捌き部材２４の給紙ローラ２２ａへの押圧力を調整するようになっている。
【００３０】
予備捌き部４は、給紙部２による紙葉類１０の搬送面より下方に設けられている。紙葉類１０の搬送面とは、給紙ローラ２２と捌き部材２４との間に紙葉類１０を１枚ずつ挟持し給紙ローラ２２の回転により紙葉類１０を搬送する際の該紙葉類１０の通過する面である。そして、図３に示すように、予備捌き部４は突き当てガイド５の紙葉類１０の前端縁の当接面の上部に設けている。
【００３１】
また、図２に示すように、予備捌き部４は、正面から見て少なくとも給紙台３上の紙葉類１０の載置幅Ｔ範囲内に設けられ、好ましくは、給紙部２を構成する３個の給紙ローラ２２の設置幅Ｕ範囲内に設けられ、より好ましくは、予備捌き部４は、給紙部２を構成する中央の給紙ローラ２２ａの設置幅Ｗ範囲内に設けられており、更に好ましくは、中央の給紙ローラ２２ａの設置幅Ｗ範囲と、捌き部材２４の設置幅Ｖ範囲の双方の設置幅の重複範囲内に設けられている。
【００３２】
図１〜３では、予備捌き部４全体の設置幅Ｙが中央の給紙ローラ２２ａの設置幅Ｗ範囲と捌き部材２４の設置幅Ｖ範囲の双方の設置幅より小さい範囲に設けられた例を示しているが、必ずしもこれに限定されず、予備捌き部４の設置幅Ｙの範囲と、少なくとも給紙台３上の紙葉類の載置幅Ｔ範囲との間に少しでも重複する範囲があればよく、好ましくは、給紙部２を構成する少なくとも３個の給紙ローラ２２の設置幅Ｕ範囲との間に重複する範囲があればよく、より好ましくは、中央の給紙ローラ２２ａの設置幅Ｗ範囲との間に重複する範囲があればよく、更に好ましくは、中央の給紙ローラ２２ａの設置幅Ｗ範囲と、捌き部材２４の設置幅Ｖ範囲の双方の設置幅との間に重複する範囲があればよい。
【００３３】
即ち、例えば、図２において２点差線で示すように、予備捌き部４Ａが中央の給紙ローラ２２ａの設置幅Ｗ範囲と、捌き部材２４の設置幅Ｖ範囲の双方の設置幅より大きく、紙葉類１０の幅と略同じ程度の幅を有していてもよく、図５（ａ）に示すように、各給紙ローラ２２ａ，２２ｂ，２２ｃの下方に各々1つずつ合計３個の予備捌き部４ａ，４ｂ，４ｃを設けてもよく、更に、図５（ｂ）に示すように、中央の給紙ローラ２２ａの下方に上下２段に分けて予備捌き部４ｄ，４ｅを設けてもよい。
【００３４】
更に、好ましい形態としての中央の給紙ローラ２２ａの設置幅Ｗ範囲と、捌き部材２４の設置幅Ｖ範囲の双方の設置幅との間で重複する範囲に予備捌き部４があればよい場合に加え、捌き部材２４の配設位置が、中央の給紙ローラ２２ａ以外の左右いずれかの給紙ローラ２２ｂ，２２ｃまたは、中央を含むいずれか２個以上の給紙ローラ２２の外周に摺接する位置に設けられている状態では、かかる捌き部材２４が摺接する給紙ローラ２２及び捌き部材２４の双方の設置幅が重複する部分の範囲内に予備捌き部４を設けていればよい。
【００３５】
予備捌き部４は可撓性材料により構成されることが好ましい。可撓性材料としては、ポリエチレン、ポリプロピレン、ポリエステル、ポリウレタン等の合成樹脂、シリコーンゴム、ウレタンゴム等の合成ゴム、天然ゴム、可撓性の金属などが挙げられる。
【００３６】
そして、予備捌き部４は、給紙台３が移送手段６により上昇される際、該給紙台３上の複数の紙葉類１０の前端縁を予備的に捌くよう構成されている。そして、予備捌き部４は、突き当てガイド５における給紙台３の昇降経路に配設され、給紙台３が上昇する際、給紙台３上の紙葉類１０の前端縁が干渉する干渉部材８を備えてなる。
【００３７】
図４に示すように、干渉部材８は、正面視矩形状の基部８１と、該基部８１に固定されて突設された複数の突起部８２を備えている。基部８１は、天然繊維、合成繊維、又はこれらの混合物からなる織布、編布または不織布等の布地、金属、合成樹脂等の薄板状部材や、合成樹脂、天然樹脂からなるフィルムまたはシート材等を用いることができる。
【００３８】
基部８１の厚さは特に限定されず、例えば、０．０５ｍｍ〜２ｍｍ、より好ましくは０．１ｍｍ〜３ｍｍ程度であるのに対し、突起部８２の基部８１からの突出高さは特に限定されないが、例えば１ｍｍ〜５ｍｍ、好ましくは１．５ｍｍ〜３ｍｍ程度のものを用いることができる。この結果、突き当てガイド５の紙葉類１０の前端縁の当接面からの予備捌き部４の突出高さは１．０５ｍｍ〜７ｍｍ程度となる。
【００３９】
基部８１は、下端より全長の３分の１程度の高さ位置で、図４に示す直線Ｌに沿って、側方より見て基部８１側が谷折りに、突起部８２側が山折りになるよう僅かに屈曲して形成されている。この直線Ｌより上部が突き当てガイド５に接着されており、直線Ｌより下部が陥没部３５の内部に潜入され、下端部が陥没部３５内に収容されている。これに伴って複数の鉤状突起部８３の突出方向も、干渉部材８の上部及び中央部と下部との間で僅かに異なっている。
【００４０】
突起部８２は、図４では、先端が湾曲した鉤状突起部８３を有するものを示したが、これに限定されず、基部に設けられた玉状、鏃状のフック型の突起部であってもよく、ループ型の突起部であってもよい。かかる突起部を有する干渉部材８としては、面ファスナーのフック型の雄材やループ型の雌材、またはフック型とループ型とが混在する雄雌混在のもの等を用いることができる。このように、市販されている面ファスナーの雄材、雌材や雄雌混在のものを予備捌き部４に用いることで、安価且つ容易に製造可能となる。
【００４１】
図４に示すように、鉤状突起部８３は略下方に向けて湾曲した下方向湾曲突起部８３ａと、略上方に向けて湾曲した上方向湾曲突起部８３ｂとを備えている。この下方向湾曲突起部８３ａ及び上方向湾曲突起部８３ｂに加え、略左方向又は略右方向のいずれか、或いは略左方向と略右方向の双方の略水平方向に向けてそれぞれ湾曲した水平方向湾曲突起部（図示しない）を備えていてもよく、略上下方向、又は略左右方向のいずれの方向にも属さず傾斜する向きに湾曲した傾斜湾曲突起部（図示しない）を備えていてもよい。
【００４２】
更に、突起部８２の配列は、図４に示すような下方向湾曲突起部８２ａ及び上方向湾曲突起部８２ｂがそれぞれ横方向に複数並設され、且つ、この並設された複数の下方向湾曲突起部８２ａ及び上方向湾曲突起部８２ｂが上下方向に交互に設けられた形態に限定されず、例えば、下方向湾曲突起部８２ａと上方向湾曲突起部８２ｂとが横方向に交互に複数並設されていてもよく、または不規則に設けられていてもよく、他のいずれかの形状の突起部が規則的に又は不規則に設けられる等他の種々の形態が利用可能である。
【００４３】
引続き、紙葉類供給装置１の動作につき、以下に説明する。紙葉類供給装置１により紙葉類を供給する際は、給紙台３が待機位置にある状態で、紙葉類１０の前端縁が突き当てガイド５に当接するよう複数の紙葉類１０を給紙台３上に載置する。そして、移送手段６により給紙台３上の最上位の紙葉類１０ａが給紙部２に達する位置まで給紙台３を上昇させる。このとき、突き当てガイド５における給紙台３の上昇経路に沿って給紙台３が上昇する際、給紙台３上のそれぞれの紙葉類１０の前端縁が干渉部材８に干渉することで紙葉類１０を上下方向に予備的に捌く。
【００４４】
ここで、一般に紙葉類は、製紙工場において所定の大きさに裁断される際、裁断面に若干の裁断バリを生じることがある。この裁断バリによって紙葉類１０の端部は裁断刃の通過した方向に若干撓んだものとなり、この結果上下に積層された複数の紙葉類１０をより密着させ、各紙葉類１０を相互に絡み合わせて外れにくくさせてしまう。このような紙葉類１０を紙葉類供給装置により給紙するには、最上位にある紙葉類を１枚ずつ分離して搬送することが困難となりやすく、重送の問題が生じやすくなる。
【００４５】
図１０は、このような裁断バリを有する紙葉類１００を搬送するため、従来の紙葉類処理装置９０を用いた状態を示す図であって、紙葉類１００の前端縁が突き当てガイド５０に当接した状態の拡大断面図を示している。給紙台（図示しない）上に載置された紙葉類１００の前端縁が裁断バリを有する場合は、裁断刃の通過した向きによって給紙台上の紙葉類１０の前端縁が撓む方向が給紙台３と平行な面より上方に向かって、または下方に向かってのいずれかとなる。図１０では、給紙台と平行な面より上方に向かって撓んだ場合を示す。
【００４６】
図１０に示すように、紙葉類１００の前端縁が給紙台と平行な面より上方に向かって撓んでいる場合には、紙葉類１００が給紙部２０により搬送される際、２枚目以降の紙葉類１００ｂの前端縁が最上位の紙葉類１００ａの給紙部２０による搬送を阻止する方向に撓んでいることとなる。よって、最上位の紙葉類１００ａの前端縁の撓んだ部分に２枚目以降の紙葉類１００ｂの前端縁の撓んだ部分が引っ掛かり、最上位の紙葉類１００ａの搬送方向への移動に伴って２枚目以降の紙葉類１００ｂも一緒に移動してしまうため、重送されやすくなる。この結果、紙葉類１００の搬送面における搬送方向の分離が困難となり、裁断バリのない場合に比較して重送を引き起こしやすくなる。
【００４７】
このような紙葉類１０の前端縁が給紙台３と平行な面より上方に向かって撓んでいる紙葉類１０を本実施形態にかかる紙葉類供給装置１により給紙する場合には、図６に拡大して示すように、紙葉類１０の前端縁が干渉部材８に干渉することで、紙葉類１０の前端縁の上方へ向かった撓みが略解消される。
【００４８】
より詳しくは、上方に湾曲した紙葉類１０の前端縁が、下方向湾曲突起部８３ａ又は上方向湾曲突起部８３ｂに係合した状態で給紙台３の上昇に伴って下方向湾曲突起部８３ａ又は上方向湾曲突起部８３ｂを上方に引き上げていく。更に、下方向湾曲突起部８３ａの湾曲した鉤の先端部分により紙葉類１０の前端縁を１枚ずつ引き掻いて分離するとともに、紙葉類１０の裁断バリと逆方向に紙葉類１０を癖づける。そして、紙葉類１０の前端縁と下方向湾曲突起部８３ａ又は上方向湾曲突起部８３ｂとの係合が外れると、下方向湾曲突起部８３ａ又は上方向湾曲突起部８３ｂは紙葉類１０の前端縁の拘束から開放され、元の形状に復帰する。
【００４９】
この結果、予備捌き部４に接触した紙葉類１０の前端縁の所定箇所に、１枚ずつ空気を含まることができ、裁断バリ等によって給紙台３と平行な面より上方向に撓み上下により密着した紙葉類１０を予備捌き部４の設置幅Ｙ範囲内において１枚ずつ分離し、給紙部２に達する前の段階で予備的に紙葉類１０を捌くことができる。
【００５０】
更に、予備捌き部４に接触した紙葉類１０の前端縁を、裁断バリと逆方向に癖付けることで、予備捌き部４に接触した紙葉類１０の前端縁の所定箇所を給紙台３と略平行な方向、又は給紙台３と平行な面よりやや下方に向かって撓ませることができる。
【００５１】
そして、紙葉類１０の前端縁は全ての下方向湾曲突起部８３ａ及び上方向湾曲突起部８３ｂに接触し、予備捌き部４によって予備的に捌かれ、紙葉類１０の前端縁の予備捌き部４に接触した箇所が１枚ずつ多くの空気を含んだ状態となり、図７に示すように、最上位の紙葉類１０ａが搬送面に達する。紙葉類１０が給紙部２に至った後は、予備捌き部４によって空気を含んだ状態となっている紙葉類１０の前端縁の所定箇所を、給紙ローラ２２ａの回転動作及び捌き部材２４による搬送面における紙捌きによって搬送面において紙葉類１０を搬送方向に前後に分離する。
【００５２】
このように予備捌き部４により予備的に捌かれ空気を含んだ所定箇所を、更に搬送面において搬送方向に分離するので、重送することなく１枚ずつ容易に搬送可能である。また、予備捌き部４に接触しない紙葉類１０の前端縁の他の箇所は、上下密着したままの状態であっても、容易に重送を防止しつつ搬送可能である。
【００５３】
そして、紙葉類１０の搬送面において、紙葉類１０が給紙ローラ２２と捌き部材２４との間を通過するに際して、補助捌き部２６が紙葉類１０を留まらせ、各給紙ローラ２間において紙葉類１０に湾曲した部位を形成して紙葉類どうしの離間を促して重送を更に効率よく防止することができる。
【００５４】
逆に、紙葉類１０の前端縁が給紙台３と平行な面より下方に向かって撓んでいる紙葉類１０を供給する場合の態様を図８に示す。図８に示すように、紙葉類１０の前端縁が給紙台と平行な面より下方に向かって撓んでいる場合においても、上記と同様に、給紙部２の設置幅範囲内となる紙葉類１０の前端縁を干渉部材８により干渉して、１枚ずつ分離し空気を含ませ、上下方向に予備的に捌くことができる。
【００５５】
以上より、本実施形態にかかる紙葉類供給装置１は、給紙部２と、給紙台３と、給紙台３を上昇させる移送手段６と、紙葉類１０の前端縁を当接させる突き当てガイド５とを備え、更に給紙部２による紙葉類１０の搬送面より下方であって、少なくとも給紙台３上の紙葉類１０の載置幅Ｔ範囲内に、複数の紙葉類１０の前端縁を予備的に捌くための予備捌き部４を備えてなり、前記予備捌き部４は、突き当てガイド５における給紙台５の上昇経路に配設され、給紙台３が上昇する際給紙台３上の紙葉類の前端縁が干渉する干渉部材８を備えたので、給紙台３上の紙葉類１０を移送手段６の作用によって上昇する際に、干渉部材８が紙葉類１０の前端縁に干渉して少なくとも給紙台３上の紙葉類１０の載置幅Ｔ範囲内となる紙葉類１０の前端縁を予め上下方向に１枚ずつ分離し、空気を含ませて捌くことができ、より効率よく紙葉類の重送を防止することができる。
【００５６】
また、予備捌き部４が、給紙部２における給紙手段２３を構成する給紙ローラ２２の設置幅Ｕ範囲内に設けられている場合には、給紙手段２３によって最上位の紙葉類１０ａを搬送するとともに２枚目以降の紙葉類１０を分離する所定箇所と同じ範囲内となる紙葉類１０の前端縁の所定箇所を、予備捌き部４が予め上下方向に分離し空気を含ませることができる。そして、この空気を含んだ箇所と同一範囲内の箇所を給紙部２において更に紙葉類１０の搬送方向に沿って分離するので、給紙部２における重送をより確実に防止することができる。また、紙葉類１０の他の箇所は密着した状態である場合にも、給紙手段２３に接触する紙葉類１０の前端縁の所定箇所が予備捌き部４によって予め空気を含まされた状態であるために、紙葉類１０の重送を防止することができる。
【００５７】
更に、より好ましい実施形態として予備捌き部４が、給紙部２を構成する３個の給紙ローラ２２のうち特に中央の給紙ローラ２２ａの設置幅Ｗ範囲内に設けられている場合には、紙葉類１０の中央部分を予備的に分離することができるので、より効率よく紙葉類１０を捌くことができ、また、更により好ましい実施形態として予備捌き部４が中央の給紙ローラ２２ａの設置幅Ｗ範囲と、捌き部材２４の設置幅Ｖ範囲の双方の設置幅の重複範囲内に設けられている場合には、搬送面において給紙ローラ２２ａと捌き部材２４によって紙葉類１０を狭持し１枚ずつ分離する箇所と同一箇所を、予め空気を含ませておくことができ、より効率よく紙葉類１０を分離し重送を防止することができる。
【００５８】
また、予備捌き部４が可撓性材料により構成されているので、予備捌き部４が柔軟に変形し、効率よく紙葉類１０を捌くことができるとともに、予備捌き部４に接触する紙葉類１０の前端縁を傷めることなく皺や紙粉の発生を防止することができる。特に、移送手段６による給紙台３の上昇速度は、搬送面において給紙ローラ２２が紙葉類１０を搬送する速度に比較して遅いので、給紙台３が上昇する際給紙台３の上昇経路において干渉部材８が紙葉類１０の前端縁を干渉しても紙葉類１０を傷めにくく確実に１枚ずつ空気を含ませて予備的に捌くことができる。
【００５９】
そして、予備捌き部４が基部８１に設けられた複数の鉤状突起部８３を備えているので、鉤状突起部８３が紙葉類１０の前端縁を引き掻き、上下に密着し積層された紙葉類１０を鉤の先端によって容易に分離し上下の紙葉類１０の間に空気を含ませて捌くことができる。
【００６０】
更に、鉤状突起部８３が下方に向けて湾曲した下方向湾曲突起部８３ａと、上方に向けて湾曲した上方向湾曲突起部８３ｂとを備えているので、給紙台３と平行な面より上方に向かって撓んだ裁断バリを有する紙葉類１０が給紙台３上に載置された場合、及び逆に給紙台３と平行な面より下方に向かって撓んだ裁断バリを有する紙葉類１０のいずれの場合であっても効率よく紙葉類１０を上下方向に分離することができる。
【００６１】
即ち、給紙台３上に紙葉類１０の前端縁が給紙台３と平行な面より上方に向かって撓んだ紙葉類１０が載置される場合には、下方向湾曲突起部８３ａの下方に湾曲した先端と紙葉類１０の上方に湾曲した前端部分が相互に容易に掛かり合い、上下に密着した紙葉類１０の給紙部２の設置幅範囲内となる箇所を上下方向に分離させることができる。逆に、給紙台３上に紙葉類１０の前端縁が給紙台３と平行な面より下方に向かって撓んだ紙葉類１０が載置された場合には、紙葉類１０の前端縁の給紙部２の設置幅範囲内となる箇所を上方向湾曲突起部８３ｂ及び下方向湾曲突起部８３ａの双方の湾曲した先端の内部に紙葉類１０の下方に湾曲した前端部分を引き込むので紙葉類１０の給紙部２の設置幅範囲内となる箇所を容易に分離させることができる。
【００６２】
更に、紙葉類１０の給紙台３と平行な面より上方に向かって撓んだ前端縁を有する紙葉類１０は上方向湾曲突起部８３ｂによっても、また、紙葉類１０の前端縁が給紙台３と平行な面より下方に向かって撓んだ前端縁を有する紙葉類１０は下方向湾曲突起部８３ａによっても、それぞれ給紙台３と平行な方向より下方に撓むよう癖付けられ、給紙部２による紙捌きをより確実にすることができる。
【００６３】
更に、予備捌き部４が基部８１に設けられた少なくとも鉤状、玉状又は鏃状のいずれか１つの突起部８２を備えてなる面ファスナーにより構成されているので、安価な市販品を所定長さや所定形状に裁断し、接着剤等により容易に設置面に設置可能であるので、製造コストを低減可能であるとともに、製造時間及び製造の際の手間を少なくすることができる。
【００６４】
更に、突き当てガイド５の所定箇所に、前記突き当てガイド５の紙葉類１０の当接面より所定深さ陥没した陥没部５２を設け、前記陥没部５２の内部に予備捌き部４を構成する基部８１の下部が潜入され、下端縁が収容されているので、移送手段６により給紙台３が上昇され、予備捌き部４の下部に紙葉類１０が下方から接触する際に、陥没部５２の内部にある予備捌き部４の下端縁に紙葉類１０が直接触れることなく、予備捌き部４の下部に紙葉類１０が下方から徐々に接触することで、予備捌き部４が剥離したり、逆に紙葉類１０が破損したり皺を形成したりするのを防止することができる。
【００６５】
更に、給紙手段２３が複数の給紙ローラ２２を備えており、捌き部材２４は前記複数の給紙ローラ２２のうち少なくとも1つの給紙ローラ２２に摺接するよう設置され、更に、複数の給紙ローラ２２の間に紙葉類１０を補助的に捌く補助捌き部材２６を配設したので、給紙台３が上昇する際予備捌き部４により紙葉類１０の前端縁を上下方向に分離するとともに、紙葉類１０が給紙部２に至った後は紙葉類１０の搬送面において補助捌き部２６により紙葉類１０を留まらせ、紙葉類１０が給紙ローラ２２と捌き部材２４との間を通過するに際して、各給紙ローラ２間において紙葉類１０に湾曲した部位を形成して紙葉類どうしの離間を促して重送を更に効率よく防止できる。
【００６６】
尚、上記の実施形態では、給紙部２は給紙手段２３を構成する給紙ローラ２２、捌き部材２４、予備捌き部２６及び接触圧力調整機構２５により構成したが、本発明の紙葉類供給装置はそれに限定されるものでなく、例えば給紙手段２３は給紙ローラ２２に替えて紙葉類を吸着して搬送する構成であってもよい。また、給紙ローラ２２は３個を並設したが１個であってもよく、この場合、捌き部材２４が外周面に摺接する給紙ローラのみの構成となる。
【００６７】
また、捌き部材２４は、給紙ローラ２２ａの外周面に摺接する構成としたが、給紙ローラによる紙葉類の搬送速度より遅い速度で回転する回転ローラ等であってもよく、また、捌き部材２４は接触圧力調整機構２５により支持され給紙ローラ２２ａへの接触圧力を調整可能な可動式であったが、これに限定されず、給紙ローラの外周面に一定の圧力で接触する固定式であってもよく、また、接触圧力調整機構２５については図３に示す例えば上記特許文献１に開示されたものと同様の構成を示したが、これに限定されず、他の種々の公知の機構により構成可能である。そして、移送手段６は上記実施形態ではいわゆるエレベータ式のものを示したが、いわゆるバネ式であってもよく、これら以外の公知の構造のものも用いることができる。
【００６８】
また、予備捌き部４の設置位置は、捌き部材２４の設置位置より下方であって突き当てガイド５の紙葉類１０の前端縁の当接面の上部に設けたが、これに限定されず、給紙部による紙葉類の搬送面より下方であって、少なくとも給紙台上の紙葉類の載置幅範囲であれば、突き当てガイドの下部であってよく、固定式の捌き部材の前面に設けてもよい。
【００６９】
また、予備捌き部４は、干渉部材８が紙葉類１０の前端縁に接触する構成としたが、これに限定されず、紙葉類の前端縁に空気を吹きかける構成などにより干渉する他の構成としてもよい。
【００７０】
また、予備捌き部４は鉤状、玉状又は鏃状等の突起部を備えてなる面ファスナーを用いたが、これに限定されず所定の大きさに裁断した不織布、スポンジ等の合成樹脂発泡体、      等他の部材を用いてもよい。
【００７１】
また、予備捌き部４は、上部が突き当てガイド５に接着され、下部が陥没部５２の内部に潜入した構成としたが、これに限定されず、突き当てガイドの給紙台上の紙葉類の載置幅範囲内に、予備捌き部収容用開口部を形成し、該予備捌き部収容用開口部内に予備捌き部の全部又は一部を収容する構成としてもよい。尚、この該予備捌き部収容用開口部は、突き当てガイドに形成した陥没部の底面に設けてもよい。
【００７２】
そして、この予備捌き部収容用開口部内に全部又は一部が収容された予備捌き部に関しては、突き当てガイドの紙葉類の前端縁の当接面に対し該予備捌き部を進退させる進退機構により支持される構成であることが好ましい。
【００７３】
かかる突き当てガイドの紙葉類の前端縁の当接面に対し予備捌き部を進退させる進退機構としては、種々の公知のものが利用可能である。例えば、予備捌き部の下部を揺動中心とし、上部を揺動させる揺動機構等により予備捌き部を支持し、予備捌き部の上部を紙葉類の前端縁に深く干渉する位置と浅く干渉する位置との間で揺動するといったことが挙げられる。また、基部全体を平行移動して進退する機構等が挙げられ、該機構により、紙葉類の前端縁を破損等しないまたは予備捌き部が剥離等しない所定の範囲において、予備捌き部を紙葉類の前端縁に深く干渉する位置と浅く干渉する位置との間で突き当てガイドの紙葉類の前端縁の当接面に対し進退するといったことなども利用可能である。
【００７４】
このように、突き当てガイドの予備捌き部収容用開口部に予備捌き部を収容するとともに、該予備捌き部収容用開口部に収容された予備捌き部を進退機構により進退する場合には、紙葉類の前端縁への干渉部材の干渉量を紙葉類の厚さや種類に応じて調整することが可能となり、様々な厚さや種類の紙葉類について該紙葉類を傷めることなく非常に効率よく上下方向に分離し空気を含ませることができる。
【００７５】
そして、この突き当てガイドの予備捌き部収容用開口部内に収容された予備捌き部を支持する進退機構については、接触圧力調整ダイヤル５３に連動させる構成とすることがより好ましい。これにより、接触圧力調整ダイヤル５３の回動に伴って突き当てガイドの紙葉類１０の当接面からの予備捌き部の突出高さを調整可能なものとすることもできる。これにより、紙葉類の厚さや種類に応じて該接触圧力調整ダイヤル５３を回動して捌き部材２４の給紙ローラ２２ａへの押圧力を調整する際、同時に突き当てガイドの紙葉類１０の当接面からの予備捌き部の突出高さを調整する等といったことができることとなる。
【００７６】
また、上記した図１〜８に示す実施形態では、このように予備捌き部４の下部のみが陥没部５２の内部に潜入し、上部は突き当てガイド５に接着した構成としたが、これに限定されず、図９に示すように、予備捌き部４ｆの基部８１ａ全体が陥没部５２ａに収容され、突起部８２ａが陥没部５２ａから突出して紙葉類１０の前端縁に当接する構成であってもよい。
【００７７】
この図９に示す構成の場合、予備捌き部４ｆ全体の高さＨに対し、突き当てガイド５ａの紙葉類１０の当接面から陥没部５２ａ内に予備捌き部４ｆが潜入している深さＦの割合（Ｆ／Ｈ）は０％〜９０％程度であることが好ましい。ここで、Ｆ／Ｈ＝０％である場合とは、Ｆ＝０の場合、即ち、陥没部５２ａ内に予備捌き部４ｆが全く潜入されていない状態であって、上記実施形態に示した突き当てガイド５の紙葉類１０の当接面に予備捌き部４を設けた状態である。
【００７８】
更に、図９に示す予備捌き部４ｆの基部８１ａ全体が陥没部５２ａに収容される構成については、予備捌き部４ｆが陥没部５２ａの底面に接着され、固定された構成を示したが、必ずしもこれに限定されず、突き当てガイドの紙葉類の前端縁の当接面に対し予備捌き部を進退させるとともに陥没部内に収容された予備捌き部の基部を支持する進退機構を備え、該進退機構により予備捌き部を進退可能としてもよい。
【００７９】
これにより、図９に示す予備捌き部４ｆが陥没部５２ａの底面に接着され、固定されている状態においては突き当てガイド５の紙葉類１０の前端縁の当接面からの突起部８２ａの突出高さＩは所定の高さを維持するものとなっているのに対し、突き当てガイドの紙葉類の前端縁の当接面に対し予備捌き部を進退可能とした場合には、進退機構によって突き当てガイドの紙葉類の前端縁の当接面からの突起部の突出高さを紙葉類の厚さや種類に応じて変更することができることとなる。
【００８０】
かかる突き当てガイドの紙葉類の前端縁の当接面に対し予備捌き部を進退させるとともに陥没部内に収容された予備捌き部の基部を支持する進退機構としては、上記した突き当てガイドに形成した予備捌き部収容用開口部内に収容された予備捌き部を支持する進退機構と同様のものが利用可能である。このように、予備捌き部の基部全体が陥没部内に収容され、突起部が陥没部から突出して紙葉類１０の前端縁に当接するとともに、進退機構によって突き当てガイドの紙葉類の前端縁の当接面に対し予備捌き部を進退可能に構成した場合には、突き当てガイドに予備捌き部収容用開口部を形成することが不要となるとともに、簡単な構造によって紙葉類の前端縁を分離可能である。
【００８１】
この突き当てガイドの紙葉類の前端縁の当接面に対し予備捌き部を進退させるとともに陥没部内に収容された予備捌き部の基部を支持する進退機構に関しては、上記突き当てガイドの予備捌き部収容用開口部内に収容した予備捌き部を進退自在に支持する進退機構と同様に、接触圧力調整ダイヤル５３に連動させる構成とすることが可能であり、これにより、接触圧力調整ダイヤル５３の回動に伴って突き当てガイド５ａの紙葉類１０の当接面からの突出部の突出高さを調整可能なものとすることもできる。
【００８２】
また、突起部８２は基部８１に固定されて突設された構成とし、突起部８２の基部８１からの突出高さは所定の突出高さを維持するものとしたが、これに限定されず、突起部の基部からの突出高さを紙葉類の厚さや種類に応じて変更可能な構成としてもよい。かかる突起部の基部からの突出高さを変更可能な構成としては、種々のものが利用可能であるが、例えば、基部に複数の貫通孔を形成し、該貫通孔に突起部の根元を進退自在に挿通するといったもの等が挙げられる。
【００８３】
そして、このような基部からの突出高さを変更可能な予備捌き部は、上記した種々の予備捌き部の進退機構の場合と同様に、接触圧力調整ダイヤル５３に連動させる構成とすることで、接触圧力調整ダイヤル５３の回動に伴って突起部の基部からの突出高さを紙葉類の厚さや種類に応じて調整することができ、紙葉類の厚さや種類に応じた対応を可能とすることができる。
【符号の説明】
【００８４】
１    紙葉類供給装置
２    給紙部
３    給紙台
４,４Ａ，４ａ，４ｂ，４ｃ，４ｄ，４ｅ，４ｆ    予備捌き部
５，５ａ    突き当てガイド
６    移送手段
８    干渉部材
５２，５２ａ  陥没部    
８１，８１ａ  基部  
８２，８２ａ  突起部
８３  鉤状突起部
８３ａ  下方向湾曲突起部
８３ｂ  上方向湾曲突起部
【図１】
2010265104.tif 000003
【図２】
2010265104.tif 000004
【図３】
2010265104.tif 000005
【図４】
2010265104.tif 000006
【図５】
2010265104.tif 000007
【図６】
2010265104.tif 000008
【図７】
2010265104.tif 000009
【図８】
2010265104.tif 000010
【図９】
2010265104.tif 000011
【図１０】
2010265104.tif 000012